(57)【要約】      （修正有）【課題】利用者の操作によって当該利用者の両手へ容器内容物を放出可能なポンプ機構を提供する。【解決手段】利用者の押下げ操作にともなうピストン群（２，４，８）の下動によって、上流側充填室Ａの内容物は環状下側ピストン（９）および外側コイルスプリング（１０）を下動させながら下流側充填室Ｃに流入する。操作ボタン１を離すとピストン群は、外側コイルスプリングおよび内側コイルスプリング（１１）の復帰力によって、充填室Ｃの吐出弁（８ｄ，２ｃ）を閉状態に維持したまま上動する。このとき容器内容物が吸上げられる充填室Ａの小径流入口（５ｄ）の流入抵抗により放出開始地点までの上動時間をかせいでいる。環状上側ピストン（８）の外側上面部分（８ｅ）がカラーリング（７）の下端面部分（７ｂ）に当接して吐出弁が開くと、充填室Ｃの内容物は環状下側ピストンおよび外側コイルスプリングの押出し作用で外部空間に放出される。【選択図】図４
2008230699.tif 000002
【特許請求の範囲】
【請求項１】
容器内容物が、利用者の放出操作終了時点よりも遅延して外部空間に放出される機能を備えた遅延ポンプ機構であって、
前記放出操作のための操作部と、
前記放出操作により、内容物の吸込弁から中間弁までの間の内容物圧力が増加する上流側空間域と、
前記内容物圧力の増加に応じて前記上流側空間域の前記中間弁が開くことにより、当該上流側空間域の内容物が、外部空間に放出されることなしに流入する下流側空間域と、
前記放出操作の終了にともない、前記下流側空間域を、その吐出弁が閉じて内容物が収納された状態のまま所定位置まで変位させて、その後、当該吐出弁が開いて当該内容物を前記外部空間に放出する遅延作動手段と、
を備えたことを特徴とする遅延ポンプ機構。
【請求項２】
前記遅延作動手段は、
前記操作部と一体化して前記上流側空間域を形成する第１のピストンと、
前記中間弁の下流側において前記第１のピストンとともに前記下流側空間域を形成する第２および第３のピストンと、
前記第２のピストンを静止モード位置に付勢する第１の弾性部材と、
前記第１のピストンと前記第３のピストンとの間に形成される前記吐出弁と、
前記第３のピストンの前記所定位置を設定する規制部材と、を備えたものであり、
前記操作部の放出操作に基づく前記第１のピストンの移動により、
前記中間弁が開き、かつ前記吐出弁が閉じて、前記吸込弁が閉状態の前記上流側空間域の内容物を前記下流側空間域に流入させるともに、前記第３のピストンが前記第１のピストンと連動し、
前記吐出弁が閉じた状態の前記下流側空間域への内容物流入にともなって、前記第２のピストンが前記第１の弾性部材に抗する形で移動し、
前記操作部の放出操作終了後の前記第１の弾性部材に基づく前記第２のピストンの復帰動作により、
前記吐出弁がそれまでと同じように閉じて前記下流側空間域の内容物を保持したまま、前記第１および前記第３の各ピストンが前記規制部材の方に連動し、
前記第３のピストンが前記規制部材の作用により停止した後、前記第１のピストンがさらに移動することにより前記吐出弁が開いて、
前記下流側空間域の内容物が、開状態の前記吐出弁から外部空間に、前記第１の弾性部材の前記第２のピストンに対する付勢力で放出される、
ことを特徴とする請求項１記載の遅延ポンプ機構。
【請求項３】
前記上流側空間域は、
前記第１のピストンとシリンダとの間に設定される空間域であり、
前記下流側空間域は、
前記第１のピストン，その外側の前記第２および前記第３の各ピストンと、シリンダとの間に設定される空間域である、
ことを特徴とする請求項２記載の遅延ポンプ機構。
【請求項４】
前記遅延作動手段は、
前記第１のピストンを静止モード位置に付勢する第２の弾性部材を、
備えていることを特徴とする請求項２記載の遅延ポンプ機構。
【請求項５】
前記上流側空間域への流入口は、
そこでの内容物流入抵抗を大きくして、前記第１および前記第３の各ピストンが前記規制部材の方に連動するときの速度を低下させるものである、
ことを特徴とする請求項２記載の遅延ポンプ機構。
【請求項６】
請求項１乃至５のいずれかに記載の遅延ポンプ機構を備え、かつ、内容物を収容した、
ことを特徴とするポンプ式製品。
【発明の詳細な説明】
【技術分野】
【０００１】
本発明は、例えばアルコール液による両手洗浄などに用いられる遅延ポンプ機構、すなわち容器内容物が、利用者の放出操作終了時点よりも遅延して外部空間に放出される機能を備えた遅延ポンプ機構に関する。
【０００２】
通常のポンプ機構は、操作ボタンを利用者が放出操作するとき自体のピストンの移動により、内容物収納済みのいわばバッファ空間域の吐出弁（下流弁）が開き、吸込弁（上流弁）がそれまでと同じく閉じたままの状態となって、当該空間域の内容物を外部空間に放出している。
【０００３】
このように、内容物が外部空間に放出されるのは利用者が手や指で操作ボタンを例えば押下げるときのみであるため、内容物を両手で受けるような使い方はできなかった。
【０００４】
ポンプ式製品の様々な場面での使い方を考えると、例えば両手洗浄などを簡単に、かつ確実に行える使い勝手のよい遅延ポンプ機構が必要とされるところであり、本発明はこのような要請に応えるものである。
【背景技術】
【０００５】
従来、利用者によって押下げられた操作ボタンがその押下げ操作解除後に自動復帰する際に収納空間域の内容物を外部空間に放出するタイプのポンプ機構が提案されている（特許文献１参照）。
【０００６】
ただ、このポンプ機構は、押下げ操作時から押下げ操作解除後の操作ボタン復帰時までの間、内容物を連続的に放出するものである。
【特許文献１】実開平２−１３７９５８号公報
【発明の開示】
【発明が解決しようとする課題】
【０００７】
このように従来の上記ポンプ機構は、操作ボタンの押下げ操作にともなって内容物を放出し、かつ、この内容物放出状態を押下げ操作後の操作ボタンの復帰時にも継続させたものである。
【０００８】
すなわち、内容物の放出操作終了時から内容物の放出動作開始時までのタイミングを遅延させることにより、利用者が、内容物をその両手で確実に受けることができるようにするといった着想に基づいていない。
【０００９】
そのため、利用者は操作ボタンを押していた方の手に例えば洗浄用アルコールなどを十全に噴霧させることが難しいという問題点があった。
【００１０】
そこで本発明では、利用者が放出操作を終了してから内容物放出動作用のピストンが所定位置まで復帰した段階ではじめて内容物吐出弁が開くような遅延ポンプ機構を用いて、利用者の両手への容器内容物の放出動作の安定化，確実化を図ることを目的とする。
【課題を解決するための手段】
【００１１】
本発明は、以上の課題を次の遅延ポンプ機構を用いて解決する。
（１）容器内容物が、利用者の放出操作終了時点よりも遅延して外部空間に放出される機能を備えた遅延ポンプ機構であって、
前記放出操作のための操作部（例えば後述の操作ボタン１）と、
前記放出操作により、内容物の吸込弁（例えば後述の環状受け部５ｃおよび吸込弁作用部６ｂ）から中間弁（例えば後述の中間弁作用部３ａおよび環状受け部４ｂ、または中間弁体１８および環状受け部４ｂ）までの間の内容物圧力が増加する上流側空間域（例えば後述の上流側充填室Ａ，Ａ’）と、
前記内容物圧力の増加に応じて前記上流側空間域の前記中間弁が開くことにより、当該上流側空間域の内容物が、外部空間に放出されることなしに流入する下流側空間域（例えば後述の下流側充填室Ｃ，Ｃ’）と、
前記放出操作の終了にともない、前記下流側空間域を、その吐出弁（例えば後述の吐出弁作用部２ｃおよび逆スカート部８ｄ、または吐出弁作用部１６ｄおよび環状凸部２０ｄ）が閉じて内容物が収納された状態のまま所定位置まで変位させて、その後、当該吐出弁が開いて当該内容物を前記外部空間に放出する遅延作動手段とを備えたものとする。
（２）上記（１）において、
前記遅延作動手段は、
前記操作部と一体化して前記上流側空間域を形成する第１のピストン（例えば後述の鞘状上側ピストン２，鞘状中間ピストン３および筒状下側ピストン４、または筒状下側ピストン４，環状上側ピストン１６および鞘状中間部材１７）と、
前記中間弁の下流側において前記第１のピストンとともに前記下流側空間域を形成する第２のピストン（例えば後述の環状下側ピストン９）および第３のピストン（例えば後述の環状上側ピストン８，鞘状上側ピストン２０）と、
前記第２のピストンを静止モード位置に付勢する第１の弾性部材（例えば後述の外側コイルスプリング１０）と、
前記第１のピストンと前記第３のピストンとの間に形成される前記吐出弁と、
前記第３のピストンの前記所定位置を設定する規制部材（例えば後述のカラーリング７，１９）と、を備えたものであり、
前記操作部の放出操作に基づく前記第１のピストンの移動により、
前記中間弁が開き、かつ前記吐出弁が閉じて、前記吸込弁が閉状態の前記上流側空間域の内容物を前記下流側空間域に流入させるともに、前記第３のピストンが前記第１のピストンと連動し、
前記吐出弁が閉じた状態の前記下流側空間域への内容物流入にともなって、前記第２のピストンが前記第１の弾性部材に抗する形で移動し、
前記操作部の放出操作終了後の前記第１の弾性部材に基づく前記第２のピストンの復帰動作により、
前記吐出弁がそれまでと同じように閉じて前記下流側空間域の内容物を保持したまま、前記第１および前記第３の各ピストンが前記規制部材の方に連動し、
前記第３のピストンが前記規制部材の作用により停止した後、前記第１のピストンがさらに移動することにより前記吐出弁が開いて、
前記下流側空間域の内容物が、開状態の前記吐出弁から外部空間に、前記第１の弾性部材の前記第２のピストンに対する付勢力で放出されるものとする。
（３）上記（２）において、
前記上流側空間域は、
前記第１のピストンとシリンダ（例えば後述のシリンダ５および内側シリンダ６）との間に設定される空間域であり、
前記下流側空間域は、
前記第１のピストン，その外側の前記第２および前記第３の各ピストンと、シリンダ（例えば後述のシリンダ５）との間に設定される空間域である。
（４）上記（２）において、
前記遅延作動手段は、
前記第１のピストンを静止モード位置に付勢する第２の弾性部材（例えば後述の内側コイルスプリング１１）を備えたものとする。
（５）上記（２）において、
前記上流側空間域への流入口（例えば後述の小径流入口５ｄ）は、
そこでの内容物流入抵抗を大きくして、前記第１および前記第３の各ピストンが前記規制部材の方に連動するときの速度を低下させるものとする。
【００１２】
本発明は、以上の構成からなる遅延ポンプ機構および、これを備えたポンプ式製品を対象としている。
【発明の効果】
【００１３】
本発明はこのように、
(11)容器本体側からの吸込弁と外部空間への吐出弁との間の内容物収納用の空間域を、当該吸込弁から続く上流側空間域と、当該吐出弁に続く下流側空間域とに少なくとも分けて構成し、
(12)操作部の放出操作の際には上流側空間域の内容物を吐出弁閉状態の下流側空間域に移動させるだけであり（外部空間には放出しない）、
(13)放出操作終了後にこの下流側空間域を所定位置まで変位させた時点で吐出弁が開状態となり、ここではじめて下流側空間域の内容物が外部空間に放出される、
ものである。
【００１４】
そのため利用者は、操作部の放出操作を終了した後であせることもなしに落ち着いて、容器内容物を両手部分に簡単に、また確実に移すことができる。
【００１５】
また、上流側空間域の構成要素である第１のピストンを静止モード位置に付勢する第２の弾性部材を省略した形によっても、放出操作終了後に下流側空間域が所定位置まで変位した時点で吐出弁が開状態に設定されるようにしているので、遅延ポンプ機構製造に際してのコストダウンを図ることができる。
【００１６】
また、上流側空間域への内容物流入抵抗を大きくして、当該空間域の構成要素である第１のピストンが放出操作終了後に放出動作開始位置まで復帰する際の低速化を図っているので、利用者の放出操作終了後から内容物の放出開始までの遅延時間をかせいで、利便性の高い遅延ポンプ機構にすることができる。
【発明を実施するための最良の形態】
【００１７】
図１乃至図８を用いて本発明を実施するための最良の形態を説明する。
【００１８】
図１〜図４は、遅延作動モード（図４参照）において、上限位置で停止した環状上側ピストン８に対して鞘状上側ピストン２が更に上動することにより、吐出弁（２ｃ，８ｄ）が開くタイプの遅延式ポンプ機構に関するものである。
【００１９】
ここで、
図１は、本発明の遅延式ポンプ機構（その１）の静止モードを示し、
図２は、図１の操作ボタンをその最下動位置まで押下げた状態、すなわち中間弁が開いて上流側充填室Ａの内容物が中間充填室Ｂおよび下流側充填室Ｃに移動する状態の押下げモードを示し、
図３は、図２の操作ボタンの押圧操作解除後であってまだ吐出弁（外部空間への出力弁）が閉じたままの状態、すなわち下流側充填室Ｃに内容物が閉じ込められてそのままピストン群がそれぞれ最初の静止モード位置の方に上動していく状態の復帰モードを示し、
図４は、図３の復帰モードの後半段階で吐出弁が開いた状態、すなわち下流側充填室Ｃの内容物が当該吐出弁から外部空間に放出される遅延作動モードを示している。
【００２０】
以下のアルファベット付き参照番号の構成要素（例えば螺子部分１ａ）は原則として、当該参照番号の数字部分の構成要素（例えば操作ボタン１）の一部であることを示している。
【００２１】
なお、図１〜図４におけるアルファベット付でない主たる構成要素は、操作ボタン１，鞘状上側ピストン２，鞘状中間ピストン３，筒状下側ピストン４，シリンダ５，内側シリンダ６，カラーリング７，環状上側ピストン８，環状下側ピストン９，外側コイルスプリング１０および内側コイルスプリング１１などである。
【００２２】
図１〜図４において、
１は利用者の押圧操作力やコイルスプリングの付勢力（弾性力）などに基づいて上下動する操作ボタン，
１ａは当該操作ボタンの筒状部の外周面に形成された螺子部分，
１ｂは放出口にいたる内容物の放出用通路，
【００２３】
２は上部外周面の嵌合機能により操作ボタン１と一体化して外部空間への通路域を備えた鞘状上側ピストン，
２ａは大径の上側筒状部の内周面縦方向に複数形成された凹状部，
２ｂは当該上側筒状部の最大径部分を構成している環状垂下部，
２ｃは小径の下側鞘状部の上部外周面からなる吐出弁作用部，
【００２４】
３は上部内周面の嵌合機能により鞘状上側ピストン２と一体化して後述の筒状下側ピストン４の流入口４ｃに対する中間弁機能を備えた鞘状中間ピストン，
３ａは当該ピストンの下端部分に設けられた半球状の中間弁作用部，
３ｂは当該中間弁作用部を支持する複数の螺旋状の弾性片部，
【００２５】
４は上部内周面の嵌合機能により鞘状中間ピストン３と一体化して当該ピストンとの間で弁作用を呈する筒状下側ピストン，
４ａは当該ピストンの上部分に複数形成されて後述の中間充填室Ｂと下流側充填室Ｃとを連通させるための孔部，
４ｂは中間弁作用部３ａに対応した漏斗態様の環状受け部，
４ｃは当該環状受け部に形成された内容物の流入口，
４ｄは当該環状受け部の外底面側に複数形成されて後述の内側コイルスプリング１１を受ける縦リブ状部，
４ｅは後述の内側シリンダ６の内周面に常時密接するシール・被案内用のスカート部，
【００２６】
５は上述の各ピストン２，３，４を収容してそれぞれの移動空間を提供するシリンダ，
５ａは当該シリンダの上側外周面に形成された環状鍔部，
５ｂは当該環状鍔部の下方部分に形成されて容器内部の負圧化を阻止するための減圧防止用孔部，
５ｃは後述の吸込弁作用部６ｂに対応した漏斗態様の環状受け部，
５ｄは当該環状受け部に形成された内容物の小径流入口，
５ｅは上端側内周面に複数形成された縦リブ状部，
【００２７】
６はシリンダ５の内底面側に配設されて当該シリンダの小径流入口５ｄに対する吸込弁機能を備えた内側シリンダ，
６ａは当該内側シリンダの底面部分に形成された貫通部，
６ｂは当該貫通部の近くに設けられた半球状の吸込弁作用部，
６ｃは当該吸込弁作用部を支持する複数の弾性片部，
６ｄは後述の内側コイルスプリング１１を受ける環状底面部，
６ｅは後述の外側コイルスプリング１０を受ける環状鍔部，
【００２８】
７はシリンダ５の上側外周面と嵌合して上側ピストン２の案内部や後述の環状上側ピストン８の上動位置規制部などとして作用するカラーリング，
７ａは最内側筒状部の内周面上側部分に形成された螺子部分（製品出荷時や製品陳列時などに操作ボタン１の螺子部分１ａとの螺合状態に設定される），
７ｂは最内側筒状部の下端面部分，
７ｃは（当該筒状部の外側の）環状垂下部の外周面部分にシリンダ５の縦リブ状部５ｅと対応する形で複数形成された縦リブ状部，
【００２９】
８はシリンダ５の内部における鞘状上側ピストン２などの外側空間域に配設されて、後述の下流側充填室Ｃの内容物へのシール作用や吐出弁作用（外部空間への出力弁作用）を呈する環状上側ピストン，
８ａは底面部分の径方向に複数形成された内容物通過用の溝状部，
８ｂはシリンダ５の内周面に常時密接するシール・被案内用のスカート部，
８ｃは環状垂下部２ｂ（鞘状上側ピストン２）の内周面に常時密接するシール・被案内用のスカート部，
８ｄは図２の押下げモードや図３の復帰モードのときに吐出弁作用部２ｃ（鞘状上側ピストン２）の外周面に密接するシール・弁作動用の逆スカート部（吐出弁作用部分），
８ｅは同じく押下げモードや復帰モードにおいて環状垂下部２ｂ（鞘状上側ピストン２）の下端面に当接して当該環状上側ピストンを鞘状上側ピストン２と一体的に連動させる機能を備えた外側上面部分，
【００３０】
９はシリンダ５の内部における筒状下側ピストン４などの外側空間域に図示上方向の付勢力（弾性力）を受ける態様で配設されて、後述の下流側充填室Ｃの内容物へのシール作用や押圧作用（押上駆動作用）を呈する環状下側ピストン，
９ａはシリンダ５の内周面に常時密接するシール・被案内用のスカート部，
９ｂは筒状下側ピストン４の孔部４ａより下側の外周面に常時密接するシール・被案内用の逆スカート部，
９ｃは後述の外側コイルスプリング１０を受ける環状段部，
【００３１】
１０は環状下側ピストン９を図示上方向（環状上側ピストン８と当接する方向）に付勢する外側コイルスプリング，
【００３２】
１１は筒状下側ピストン４を図示上方向（図１の静止モードの位置方向）に付勢する内側コイルスプリング，
【００３３】
１２は内容物が収納された容器本体，
１２ａは当該容器本体の首部，
【００３４】
１３はシリンダ５の環状鍔部５ａの底面と容器本体１２の首部１２ａの上端面とに挟持された環状シール部材，
【００３５】
１４は容器本体１２の首部１２ａの外周面と螺合して、シリンダ５の環状鍔部５ａおよび環状シール部材１３を、当該首部の上端面との間に挟みこんだ状態で当該容器本体に固定する筒状のカバーキャップ，
【００３６】
Ａはシリンダ５の流入口５ｂ（吸込弁）から筒状下側ピストン４の流入口４ｃ（中間弁）にいたるシリンダ内空間域からなる上流側充填室，
Ｂは筒状下側ピストン４の流入口４ｃ（中間弁）から孔部４ａにいたるシリンダ内空間域からなる中間充填室，
Ｃは筒状下側ピストン４の孔部４ａから鞘状上側ピストン２の吐出弁作用部２ｃおよび環状上側ピストン８の逆スカート部８ｄ（吐出弁）にいたるシリンダ内空間域からなる下流側充填室，
【００３７】
ｓ１は押下げモードでの上流側充填室Ａから中間充填室Ｂおよび下流側充填室Ｃへの内容物の概略的な流れ，
ｓ２は復帰モードでの容器本体側から上流側充填室Ａへの内容物の概略的な流れ，
ｓ３は遅延作動モードでの下流側充填室Ｃから外部空間への内容物の概略的な流れ，
をそれぞれ示している。
【００３８】
上述の操作ボタン１，鞘状上側ピストン２，鞘状中間ピストン３，筒状下側ピストン４，シリンダ５，内側シリンダ６，カラーリング７，環状上側ピストン８，環状下側ピストン９，容器本体１２およびカバーキャップ１４はポリプロピレン，ポリエチレン，ポリアセタール，ナイロン，ポリブチレンテレフタレートなどの合成樹脂製のものである。なお、外側コイルスプリング１０および内側コイルスプリング１１は金属製や合成樹脂製のものであり、環状シール部材１３は合成樹脂製やゴム製のものである。
【００３９】
また、外側コイルスプリング１０のばね係数は例えば１８００ｇｆ／ｃｍ〜２２００ｇｆ／ｃｍであり、内側コイルスプリング１１のばね係数は例えば２３０ｇｆ／ｃｍ〜３８０ｇｆ／ｃｍである。
【００４０】
図１〜図４の遅延ポンプ機構の基本的特徴は、
(21)利用者が図１の静止モードにおける操作ボタン１を押下げてこれと一体の連結ピストン（鞘状上側ピストン２，鞘状中間ピストン３および筒状下側ピストン４）を下動させることにより、中間弁作用部３ａが環状受け部４ｂから離間して、上流側充填室Ａの内容物が中間充填室Ｂおよび（吐出弁が閉状態の）下流側充填室Ｃに移動し（図２のｓ１）、
(22)この下流側充填室Ｃへの内容物移動にともなって環状下側ピストン９が内容物の圧力で下動することにより、（吐出弁が閉状態の）当該充填室Ｃに放出対象の内容物が収納され、
(23)その後利用者が操作ボタン１の押下げ操作を止めると、下流側充填室Ｃは、その内容物容積を略維持して吐出弁閉状態のまま、外側コイルスプリング１０の付勢力などに基づいて上動していき（図３参照）、
(24)この上動途中の環状上側ピストン８の外側上面部分８ｅがカラーリング７の最内側筒状部の下端面部分７ｂに当接して停止した以後は、操作ボタン１および上記連結ピストンが環状上側ピストン８に対して上動し、その結果、吐出弁が開き、すなわち図４で示すように環状上側ピストン８の逆スカート部８ｄと鞘状上側ピストン２の外周面（吐出弁作用部２ｃ）とのそれまでの密接状態が解除され、
(25)この密接状態解除により、下流側充填室Ｃの内容物は、外側コイルスプリング１０の作用で上動を続ける環状下側ピストン９からいわば押し出される形で、開状態の吐出弁域や操作ボタン１の放出用通路１ｂを経て外部空間に流出する（図４のｓ３）、
ことである。
【００４１】
このように、操作ボタンが押下げられる途中や図２の下死点位置では吐出弁は閉じたままに維持され、利用者が操作ボタンの押下げ操作を止めて、すなわち操作ボタンから手，指を離して、当該操作ボタンが所定位置（図４の位置）まで復帰した後ではじめて吐出弁が開き、容器内容物が外部空間に放出される。
【００４２】
そのため、利用者は操作ボタンの押下げ操作した方の手も含めた両手で容器内容物を確実に受けることができる。
【００４３】
図１は、操作ボタン１がその上死点で止まった状態を示している。
【００４４】
このとき、上流側充填室Ａや中間充填室Ｂなどには、前回の内容物放出動作にともなう一連のピストン群（鞘状上側ピストン２，鞘状中間ピストン３，筒状下側ピストン４，環状上側ピストン８および環状下側ピストン９）の初期位置への復帰動作により、内容物が収納されている。また、吸込弁および中間弁は閉状態、吐出弁は開状態になっている。
【００４５】
ただ、吐出弁は開いているものの、環状下側ピストン９は、図示のように、その内周面の上端縁部分が鞘状中間ピストン３の上端側外周面（テーパ状面）に密接し、かつその逆スカート部９ｂが筒状下側ピストン４の孔部４ａより下方の外周面に密接しているので、当該密接部分より上流側の空間域（下流側充填室Ｃの一部，中間充填室Ｂおよび上流側充填室Ａ）が外部空間と連通することはない。
【００４６】
なお、環状上側ピストン８および環状下側ピストン９は外側コイルスプリング１０の付勢力によりそれぞれの上死点で静止している。すなわち、環状上側ピストン８はカラーリング７の下端面部分７ｂに当接し、環状下側ピストン９はこの環状上側ピストンと鞘状中間ピストン３の各周面部分に当接している。
【００４７】
図２は、図１の操作ボタン１を下死点まで押下げた状態を示している。
【００４８】
静止モード位置の操作ボタン１が押下げられる過程においては、
(31)先ず、当該操作ボタンと一体になっている鞘状上側ピストン２の環状垂下部２ｂの下端部分が、静止状態の環状上側ピストン８の外側上面部分８ｅに当接し、かつ、吐出弁作用部２ｃが逆スカート部８ｄに密接し、
(32)この当接（密接）後、環状上側ピストン８は鞘状上側ピストン２，鞘状中間ピストン３および筒状下側ピストン４と一体になって下動し、
(33)この筒状下側ピストン４の可動にともなって、上流側充填室Ａの容積が小さくなり、そこの内容物圧力が大きくなるので、鞘状中間ピストン３の中間弁作用部３ａがその支持用の弾性片部３ｂの弾性力に抗する形で上方に変位し、
(34)この中間弁作用部３ａの変位により、それまで閉じていた筒状下側ピストン４の環状受け部４ｂとの間のエリアが開いた状態となり、
(35)この開状態の空間域や孔部４ａを経て、上流側充填室Ａの内容物が中間充填室Ｂおよび下流側充填室Ｃへと流入し（ｓ１参照）、
(36)この下流側充填室Ｃへの内容物流入にともなって、その圧力を下方向に受ける環状下側ピストン９が外側コイルスプリング１０の付勢力に抗する形で図２の下死点位置まで移動する、
ことになる。このとき吐出弁（２ｃ，８ｄ）は勿論閉じたままである。
【００４９】
図３は、図２の押下げモードにおける操作ボタン１の押圧操作を利用者が止めた後で一連のピストン群および操作ボタンが吐出弁閉状態のまま上動する状態を示している。
【００５０】
操作ボタン１の押圧操作が解除されると先ず、概略、一連のピストン群（鞘状上側ピストン２，鞘状中間ピストン３，筒状下側ピストン４，環状上側ピストン８および環状下側ピストン９）および操作ボタン１は、図２の下流側充填室Ｃの状態（空間域の大きさや吐出弁の閉状態など）をそのままに保持しながら上方向に移動していく。
【００５１】
このとき、通常のポンプ機構の吸込弁動作と同じように、内側シリンダ６の吸込弁作用部６ｂがその支持用の弾性片部６ｃの弾性力に抗する形で上方に変位してシリンダ５の環状受け部５ｃとの間が開状態となり、容器内容物が小径流入口５ｄから上流側充填室Ａに流入する（ｓ２参照）。
【００５２】
上記ピストン群は、この小径流入口５ｄから上流側充填室Ａへの内容物の流入程度に応じる形で上方向へ移動していく。
【００５３】
ここで小径流入口５ｄは、容器本体１２から上流側充填室Ａへの内容物の流入抵抗を大きくして、上記ピストン群の移動速度を抑えている。
【００５４】
これにより、図３の復帰モードの開始時（＝利用者が操作ボタン１から手，指を離した段階）から図４の遅延作動モードの開始時（＝吐出弁が開いて下流側充填室Ｃの内容物が外部空間に放出され始める段階）までの遅延時間をかせいでいる。
【００５５】
なお上記ピストン群の主たる移動駆動源は、環状下側ピストン９の付勢用の外側コイルスプリング１０である。
【００５６】
すなわち、当該外側コイルスプリング１０の上方向への付勢力が環状下側ピストン９および下流側充填室Ｃの内容物を介して環状上側ピストン８に伝達され、当該ピストン８は、その外側上面部分８ｄに鞘状上側ピストン２の環状垂下部２ｂをいわば載せて、上記連結ピストンとの一体物の形で上方向へと移動していく。
【００５７】
このピストン群（鞘状上側ピストン２，鞘状中間ピストン３，筒状下側ピストン４，環状上側ピストン８および環状下側ピストン９）の一体化した上動は、環状上側ピストン８の外側上面部分８ｄがカラーリング７の下端面部分７ｂに当接するまで続く。
【００５８】
このときのピストン群の上動開始からカラーリング７との当接までの移動ストロークは例えば２０〜２５ｍｍで、移動所要時間は例えば４〜７秒である。
【００５９】
図４は、環状上側ピストン８の外側上面部分８ｄがカラーリング７の下端面部分７ｂに当接した後の吐出弁開状態の遅延作動モードを示している。
【００６０】
すなわち、外側上面部分８ｄが下端面部分７ｂに当接すると、
(41)環状上側ピストン８は勿論この下端面部分７ｂとの当接状態で停止し、
(42)環状上側ピストン８の外側上面部分８ｄに載せられていた鞘状上側ピストン２，鞘状中間ピストン３，筒状下側ピストン４の連結ピストンは、内側コイルスプリング１１の付勢力により上方向に移動し、
(43)この連結ピストン（鞘状上側ピストン２）の上動にともない、それまでの環状上側ピストン８の逆スカート部８ｄと鞘状上側ピストン２の吐出弁作用部２ｃとの密接状態が解除されて、吐出弁が開き、鞘状中間ピストン３の上面部分が環状上側ピストン８の底面部分と当接した状態に移行し、
(44)この吐出弁の開状態で環状下側ピストン９が外側コイルスプリング１０の付勢力により上方向に移動して、これにより下流側充填室Ｃの内容物が「環状上側ピストン８の溝状部８ａ−吐出弁域−鞘状上側ピストン２の凹状部２ａ・内部空間域−操作ボタン１の放出用通路１ｂ」などを経て外部空間にいわば押し出される、
ことになる。
【００６１】
そして環状下側ピストン９は、その上端縁部分が環状上側ピストン８および鞘状中間ピストン３の各周面部分に当接した段階で停止し、図１の静止モードの状態に戻る。
【００６２】
図５〜図８は、遅延作動モード（図８参照）において、吐出弁（１６ｄ，２０ｄ）を閉状態に設定・保持するための上側コイルスプリング２１の付勢力に抗して、環状上側ピストン１６が上限位置で停止した鞘状上側ピストン２０に対して更に上動することにより、当該吐出弁が開くタイプの遅延式ポンプ機構に関するものである。
【００６３】
ここで、
図５は、本発明の遅延式ポンプ機構（その２）の静止モードを示し、
図６は、図５の操作ボタンをその最下動位置まで押下げた状態、すなわち中間弁が開いて上流側充填室Ａの内容物が中間充填室Ｂおよび下流側充填室Ｃに移動する状態の押下げモードを示し、
図７は、図６の操作ボタンの押圧操作解除後であってまだ吐出弁（外部空間への出力弁）が閉じたままの状態、すなわち下流側充填室Ｃに内容物が閉じ込められてそのままピストン群がそれぞれ最初の静止モード位置の方に上動していく状態の復帰モードを示し、
図８は、図７の復帰モードの後半段階で吐出弁が開いた状態、すなわち下流側充填室Ｃの内容物が当該吐出弁から外部空間に放出される遅延作動モードを示している。
【００６４】
なお、新たに用いる参照番号は以下の通りであり、その他の操作ボタン１，筒状上側ピストン５，内側シリンダ６，環状下側ピストン９，外側コイルスプリング１０，容器本体１２，環状シール部材１３およびカバーキャップ１４、ならびにこれらのアルファベット付き参照番号は図１〜図４のそれと同じものを用いる。
【００６５】
図５〜図８において、
１５は上部外周面の嵌合機能により操作ボタン１と一体化して外部空間への通路域を備えた筒状上側ピストン，
１５ａは当該筒状上側ピストンの最大径部分を構成している環状垂下部，
１５ｂは環状垂下部１５ａに複数形成されて、後述の片部２０ｂをガイドするスリット状部，
【００６６】
１６はシリンダ５の内部に配設されて、後述の下流側充填室Ｃ’の内容物へのシール作用を呈する環状上側ピストン，
１６ａは底面部分の径方向に複数形成された内容物通過用の溝状部，
１６ｂはシリンダ５の内周面に常時密接するシール・被案内用のスカート部
１６ｃは中央部分に形成された筒状部，
１６ｄは筒状部１６ｃの下端側の内周部からなる吐出弁作用部，
１６ｅは環状垂下部１５ａの下端が当接する上面部分，
【００６７】
１７は筒状下側ピストン４および環状上側ピストン１６と一体に係合して、その鞘状底面が後述の中間弁体１８の上方への移動を規制する態様の鞘状中間部材，
【００６８】
１８は環状受け部４ｂに当接することでの流入口４ｃに対する弁作用を有するボール状の中間弁体，
【００６９】
１９はシリンダ５の上側外周面と嵌合して筒状上側ピストン１５の案内部や環状上側ピストン１６および後述の鞘状上側ピストン２０の上動位置規制部などとして作用するカラーリング
１９ａは最内側筒状部の内周面上側部分に形成された螺子部分（製品出荷時や製品陳列時などに操作ボタン１の螺子部分１ａとの螺合状態に設定される），
１９ｂは最内側筒状部の下端面部分，
１９ｃは（当該筒状部の外側の）環状垂下部の外周面部分にシリンダ５の縦リブ状部５ｅと対応する形で複数形成された縦リブ状部，
１９ｄは最内側筒状部の内周面に形成された環状段部，
【００７０】
２０は環状上側ピストン１６との間で吐出弁作用（外部空間への出力弁作用）を呈する鞘状上側ピストン，
２０ａは筒状上側ピストン１５の内周面に当接してシール作用を呈する上側スカート部，
２０ｂは先端が環状段部１９ｄに当接することで吐出弁作用を開状態にする複数の片部，
２０ｃは筒状部１６ｃの上側内周面に当接してシール作用を呈する下側スカート部，
２０ｄは吐出弁作用部１６ｄとの間に吐出弁作用を有する環状凸部，
２０ｅは下側スカート部２０ｃと環状凸部２０ｄの間に形成された鞘状部の孔部，
【００７１】
２１は環状上側ピストン２０を環状上側ピストン１６に対して図示上方向（環状凸部が筒状部の下端に当接刷る方向）に付勢する上側コイルスプリング，
【００７２】
Ａ’はシリンダ５の流入口５ｂ（吸込弁）から筒状下側ピストン４の流入口４ｃ（中間弁）にいたるシリンダ内空間域からなる上流側充填室，
Ｂ’は筒状下側ピストン４の流入口４ｃ（中間弁）から孔部４ａにいたるシリンダ内空間域からなる中間充填室，
Ｃ’は筒状下側ピストン４の孔部４ａから環状上側ピストン１６の吐出弁作用部１６ｄおよび環状上側ピストン２０の環状凸部２０ｄ（吐出弁）にいたるシリンダ内空間域からなる下流側充填室，
【００７３】
ｓ４は押下げモードでの上流側充填室Ａ’から中間充填室Ｂ’および下流側充填室Ｃ’への内容物の概略的な流れ，
ｓ５は復帰モードでの容器本体側から上流側充填室Ａ’への内容物の概略的な流れ，
ｓ６は遅延作動モードでの下流側充填室Ｃ’から外部空間への内容物の概略的な流れ，
をそれぞれ示している。
【００７４】
上述の筒状上側ピストン１５，環状上側ピストン１６，鞘状中間部材１７，カラーリング１９および鞘状上側ピストン２０はポリプロピレン，ポリエチレン，ポリアセタール，ナイロン，ポリブチレンテレフタレートなどの合成樹脂製のものである。なお、中間弁体１８および上側コイルスプリング２１は金属製や合成樹脂製のものである。
【００７５】
また、上側コイルスプリング２１のばね係数は、外側コイルスプリング１０のばね係数に対して十分に小さい例えば２３０ｇｆ／ｃｍ〜１５００ｇｆ／ｃｍである。
【００７６】
図５〜図８の遅延ポンプ機構の基本的特徴は、
(51)利用者が図５の静止モードにおける操作ボタン１を押下げてこれと一体の筒状上側ピストン１５と、当該筒状上側ピストン１５の下端（環状垂下部１５ａの下端）に当接した連結ピストン（筒状下側ピストン４，環状上側ピストン１６および鞘状中間部材１７）を下動させることにより、環状凸部２０ｄが吐出弁作用部１６ｄに密接し、中間弁体１８は環状受け部４ｂから離間して、上流側充填室Ａ’の内容物が中間充填室Ｂ’および（吐出弁が閉状態の）下流側充填室Ｃに移動し（図６のｓ４）、
(52)この下流側充填室Ｃへの内容物移動にともなって環状下側ピストン９が内容物の圧力で下動することにより、（吐出弁が閉状態の）当該充填室Ｃ’に放出対象の内容物が収納され、
(53)その後利用者が操作ボタン１の押下げ操作を止めると、下流側充填室Ｃ’は、その内容物容積を略維持して吐出弁閉状態のまま、外側コイルスプリング１０の付勢力に基づいて上動していき（図７参照）、
(54)この上動途中の鞘状上側ピストン２０の片部２０ｂがカラーリング１９の環状段部１９ｄに当接して停止した以後は、操作ボタン１，筒状上側ピストン１５および上記連結ピストンが鞘状上側ピストン２０に対して上動し、その結果、吐出弁が開き、すなわち図８で示すように鞘状上側ピストン２０の環状凸部２０ｄと環状上側ピストン１６の吐出弁作用部１６ｄとのそれまでの密接状態が解除され、
(55)この密接状態解除により、下流側充填室Ｃ’の内容物は、外側コイルスプリング１０の作用で上動を続ける環状下側ピストン９からいわば押し出される形で、開状態の吐出弁域や操作ボタン１の放出用通路１ｂを経て外部空間に流出する（図８のｓ６）、
ことである。
【００７７】
このように、操作ボタンが押下げられる途中や図６の下死点位置では吐出弁は閉じたままに維持され、利用者が操作ボタンの押下げ操作を止めて、すなわち操作ボタンから手，指を離して、当該操作ボタンが所定位置（図８の位置）まで復帰した後ではじめて吐出弁が開き、容器内容物が外部空間に放出される。
【００７８】
そのため、利用者は操作ボタンの押下げ操作した方の手も含めた両手で容器内容物を確実に受けることができる。
【００７９】
図５は、操作ボタン１がその上死点で止まった状態を示している。
【００８０】
このとき、上流側充填室Ａ’や中間充填室Ｂ’などには、前回の内容物放出動作にともなう一連のピストン群（筒状下側ピストン４，環状下側ピストン９，筒状上側ピストン１５，環状上側ピストン１６，鞘状中間部材１７および鞘状上側ピストン２０）の初期位置への復帰動作により、内容物が収納されている。また、吸込弁および中間弁は閉状態、吐出弁は開状態になっている。
【００８１】
ただ、吐出弁は開いているものの、環状下側ピストン９は、図示のように、その上端縁部分が鞘状中間部材１７の上端側フランジ部の下面に密接し、かつその逆スカート部９ｂが筒状下側ピストン４の孔部４ａより下方の外周面に密接しているので、当該密接部分より上流側の空間域（下流側充填室Ｃ’の一部，中間充填室Ｂ’および上流側充填室Ａ’）が外部空間と連通することはない。
【００８２】
なお、連結ピストン（筒状下側ピストン４，環状上側ピストン１６および鞘状中間部材１７）および環状下側ピストン９は外側コイルスプリング１０の付勢力によりそれぞれの上死点で静止している。すなわち、前記連結ピストンは環状上側ピストン１６の上面部分１６ｅがカラーリング１９の下端面部分１９ｂに当接し、環状下側ピストン９は連結ピストンの鞘状中間部材１７の上側フランジ部下面に当接している。
【００８３】
図６は、図５の操作ボタン１を下死点まで押下げた状態を示している。
【００８４】
静止モード位置の操作ボタン１が押下げられる過程においては、
(61)先ず、当該操作ボタンと一体になっている筒状上側ピストン１５の環状垂下部１５ａの下端部分が、静止状態の環状上側ピストン１６の上面部分１６ｅに当接し、
(62)この当接後、筒状下側ピストン４，環状上側ピストン１６および鞘状中間部材１７は一体になって下動し、
(63)この下動の初期段階で、片部２０ｂと環状段部１９ｄが離間し、上側コイルスプリング２１の付勢力により吐出弁作用部１６ｄが環状凸部２０ｄに密接して保持され、
(64)続くこの筒状下側ピストン４の下動にともなって、上流側充填室Ａ’の容積が小さくなり、そこの内容物圧力が大きくなるので、中間弁体１８がその自重に抗する形で上方に移動し、
(65)この中間弁体１８の移動により、それまで閉じていた筒状下側ピストン４の環状受け部４ｂとの間のエリアが開いた状態となり、
(65)この開状態の空間域や孔部４ａを経て、上流側充填室Ａ’の内容物が中間充填室Ｂ’および下流側充填室Ｃ’へと流入し（ｓ４参照）、
(66)この下流側充填室Ｃ’への内容物流入にともなって、その圧力を下方向に受ける環状下側ピストン９が外側コイルスプリング１０の付勢力に抗する形で図６の下死点位置まで移動する、
ことになる。このとき吐出弁は勿論閉じたままである。
【００８５】
図７は、図６の押下げモードにおける操作ボタン１の押圧操作を利用者が止めた後で一連のピストン群および操作ボタンが吐出弁閉状態のまま上動する状態を示している。
【００８６】
操作ボタン１の押圧操作が解除されると先ず、概略、一連のピストン群（筒状下側ピストン４，環状下側ピストン９，筒状上側ピストン１５，環状上側ピストン１６，鞘状中間部材１７および鞘状上側ピストン２０）および操作ボタン１は、図６の下流側充填室Ｃ’の状態（空間域の大きさや吐出弁の閉状態など）をそのままに保持しながら上方向に移動していく。
【００８７】
このとき、通常のポンプ機構の吸込弁動作と同じように、内側シリンダ６の吸込弁作用部６ｂがその支持用の弾性片部６ｃの弾性力に抗する形で上方に変位してシリンダ５の環状受け部５ｃとの間が開状態となり、容器内容物が小径流入口５ｄから上流側充填室Ａに流入する（ｓ５参照）。
【００８８】
上記ピストン群は、この小径流入口５ｄから上流側充填室Ａ’への内容物の流入程度に応じる形で上方向へ移動していく。
【００８９】
ここで小径流入口５ｄは、容器本体１２から上流側充填室Ａへの内容物の流入抵抗を大きくして、上記ピストン群の移動速度を抑えている。
【００９０】
これにより、図７の復帰モードの開始時（＝利用者が操作ボタン１から手，指を離した段階）から図８の遅延作動モードの開始時（＝吐出弁が開いて下流側充填室Ｃ’の内容物が外部空間に放出され始める段階）までの遅延時間をかせいでいる。
【００９１】
なお上記ピストン群の移動駆動源は、環状下側ピストン９の付勢用の外側コイルスプリング１０である。
【００９２】
すなわち、当該コイルスプリング１０の上方向への付勢力が環状下側ピストン９および下流側充填室Ｃ’の内容物を介して環状上側ピストン１６に伝達され、当該ピストン１６は、その上面部分１６ｅに筒状上側ピストン１５の環状垂下部１５ａをいわば載せて、上記連結ピストンとの一体物の形で上方向へと移動していく。
【００９３】
このピストン群（筒状下側ピストン４，環状下側ピストン９，筒状上側ピストン１５，環状上側ピストン１６，鞘状中間部材１７および鞘状上側ピストン２０）の一体化した上動は、鞘状上側ピストン２０の片部２０ｂがカラーリング１９の環状段部１９ｄに当接するまで続く。
【００９４】
このときのピストン群の上動開始からカラーリング１９との当接までの移動ストロークは例えば２０〜２５ｍｍで、移動所要時間は例えば４〜７秒である。
【００９５】
図８は、鞘状上側ピストン２０の片部２０ｂがカラーリング１９の環状段部１９ｄに当接した後、さらに鞘状上側ピストン２０以外のピストン群（筒状下側ピストン４，環状下側ピストン９，筒状上側ピストン１５，環状上側ピストン１６および鞘状中間部材１７）が一体化して上動し、環状上側ピストン１６の上面部分１６ｅがカラーリング１９の下端面部分１９ｂに当接した吐出弁開状態の遅延作動モードを示している。
【００９６】
すなわち、片部２０ｂが下端面部分１９ｂに当接すると、
(71)鞘状上側ピストン２０は勿論この下端面部分１９ｂとの当接状態で停止し、
(72)環状上側ピストン８の環状凸部２０ｄに当接していた筒状下側ピストン４，環状上側ピストン１６および鞘状中間部材１７の連結ピストンは、外側コイルスプリング１０の付勢力により上側コイルスプリング２１を圧縮しながら上方向に移動し、
(73)この連結ピストンの上動にともない、それまでの吐出弁作用部１６ｄと環状凸部２０ｄとの密接状態が解除されて、吐出弁が開き、環状上側ピストン１６の上面部分１６ｅがカラーリング１９の下端面部分１９ｂと当接した状態に移行し、
(74)この吐出弁の開状態で環状下側ピストン９が外側コイルスプリング１０の付勢力により上方向に移動して、これにより下流側充填室Ｃの内容物が「環状上側ピストン１６の溝状部１６ａ−吐出弁域孔部２０ｅ−鞘状上側ピストン２０の内部空間域−筒状上側ピストン１５の内部空間域−操作ボタン１の放出用通路１ｂ」などを経て外部空間にいわば押し出される、
ことになる。
【００９７】
そして環状下側ピストン９は、その上端縁部分が鞘状中間部材１７の上側フランジ部下面に当接した段階で停止し、図５の静止モードの状態に戻る。
【００９８】
本発明が、図示の遅延ポンプ機構に限定されないことは勿論である。
【００９９】
例えば容器本体１２からシリンダ５への入口部分の内容物流入抵抗を大きくするための構成要素は、図示の小径流入口５ｄの外、任意の形状，構造のものでよい。
【０１００】
また、図１〜図４の遅延ポンプ機構（その１）では、図３の復帰モードの最終段階における環状上側ピストン８の停止後に、上記連結ピストン（鞘状上側ピストン２）を上方向に駆動して吐出弁を開状態にするための内側コイルスプリング１１を積極的に用いているが、これを省略してもよい。
【０１０１】
この場合、図３の復帰モードで上動中の環状上側ピストン８が停止した後、鞘状上側ピストン２は、
(81)それまでの環状上側ピストン８との連動に基づく上方向への慣性力により吐出弁開状態に移行し、
(82)この移行後は、環状下側ピストン９の逆スカート部９ｂから受ける摩擦力により吐出弁開状態を維持する、
ことになる。
【０１０２】
本発明が適用されるポンプ式製品としては、アルコール消毒液，液体ソープ，シャンプー，リンス，洗浄剤，清掃剤，制汗剤，冷却剤，筋肉消炎剤，ヘアスタイリング剤，ヘアトリートメント剤，染毛剤，育毛剤，化粧品，シェービングフォームなどの各種用途のものがある。
【０１０３】
容器本体に収納する内容物は、例えば、水，アルコール類，油成分，界面活性剤，高分子化合物，粉状物，各用途に応じた有効成分などである。
【０１０４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【０１０５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【０１０６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【０１０７】
高分子化合物としては、メチルセルロース，ゼラチン，デンプン，カゼイン，ヒドロキシエチルセルロース，キサンタンガム，カルボキシビニルポリマーなどを用いる。
【０１０８】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【０１０９】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【０１１０】
さらに、上記内容物以外の、懸濁剤，紫外線吸収剤，乳化剤，保湿剤，酸化防止剤、金属イオン封鎖剤なども用いることができる。
【図面の簡単な説明】
【０１１１】
【図１】遅延式ポンプ機構（その１）の静止モードを示す説明図である。
【図２】図１の操作ボタンをその最下動位置まで押下げた状態、すなわち中間弁が開いて上流側充填室Ａの内容物が中間充填室Ｂおよび下流側充填室Ｃに移動する状態の押下げモードを示す説明図である。
【図３】図２の操作ボタンの押圧操作解除後であってまだ吐出弁（外部空間への出力弁）が閉じたままの状態、すなわち下流側充填室Ｃに内容物が閉じ込められてそのままピストン群がそれぞれ最初の静止モード位置の方に上動していく状態の復帰モードを示す説明図である。
【図４】図３の復帰モードの後半段階で吐出弁（外部空間への出力弁）が開いた状態、すなわち下流側充填室Ｃの内容物が当該吐出弁から外部空間に放出される遅延作動モードを示す説明図である。
【図５】遅延式ポンプ機構（その２）の静止モードを示す説明図である。
【図６】図５の操作ボタンをその最下動位置まで押下げた状態、すなわち中間弁が開いて上流側充填室Ａ’の内容物が中間充填室Ｂ’および下流側充填室Ｃ’に移動する状態の押下げモードを示す説明図である。
【図７】図６の操作ボタンの押圧操作解除後であってまだ吐出弁（外部空間への出力弁）が閉じたままの状態、すなわち下流側充填室Ｃ’に内容物が閉じ込められてそのままピストン群がそれぞれ最初の静止モード位置の方に上動していく状態の復帰モードを示す説明図である。
【図８】図７の復帰モードの後半段階で吐出弁（外部空間への出力弁）が開いた状態、すなわち下流側充填室Ｃ’の内容物が当該吐出弁から外部空間に放出される遅延作動モードを示す説明図である。
【符号の説明】
【０１１２】
１：操作ボタン
１ａ：螺子部分
１ｂ：内容物の放出用通路
２：鞘状上側ピストン
２ａ：凹状部
２ｂ：環状垂下部
２ｃ：吐出弁作用部
３：鞘状中間ピストン
３ａ：中間弁作用部
３ｂ：弾性片部
４：筒状下側ピストン
４ａ：孔部
４ｂ：環状受け部
４ｃ：流入口
４ｄ：縦リブ状部
４ｅ：スカート部
５：シリンダ
５ａ：環状鍔部
５ｂ：減圧防止用孔部
５ｃ：環状受け部
５ｄ：小径流入口
５ｅ：縦リブ状部
６：内側シリンダ
６ａ：貫通部
６ｂ：吸込弁作用部
６ｃ：弾性片部
６ｄ：環状底面部
６ｅ：環状鍔部
７：カラーリング
７ａ：螺子部分
７ｂ：下端面部分
７ｃ：縦リブ状部
８：環状上側ピストン
８ａ：内容物通過用の溝状部
８ｂ：スカート部
８ｃ：スカート部
８ｄ：逆スカート部（吐出弁作用部分）
８ｅ：外側上面部分
９：環状下側ピストン
９ａ：スカート部
９ｂ：逆スカート部
９ｃ：環状段部
１０：外側コイルスプリング
１１：内側コイルスプリング
１２：容器本体
１２ａ：首部
１３：環状シール部材
１４：カバーキャップ
１５：筒状上側ピストン
１５ａ：環状垂下部
１５ｂ：スリット状部
１６：環状上側ピストン
１６ａ：溝状部
１６ｂ：スカート部
１６ｃ：筒状部
１６ｄ：吐出弁作用部
１６ｅ：上面部分
１７：鞘状中間部材
１８：中間弁体
１９：カラーリング
１９ａ：螺子部分
１９ｂ：下端面部分
１９ｃ：縦リブ状部
１９ｄ：環状段部
２０：鞘状上側ピストン
２０ａ：上側スカート部
２０ｂ：片部
２０ｃ：下側スカート部
２０ｄ：環状凸部（吐出弁作用部分）
２０ｅ：孔部
２１：上側コイルスプリング
Ａ，Ａ’：上流側充填室
Ｂ，Ｂ’：中間充填室
Ｃ，Ｃ’：下流側充填室
ｓ１：上流側充填室Ａから中間充填室Ｂおよび下流側充填室Ｃへの内容物の流れ
ｓ２：容器本体側から上流側充填室Ａへの内容物の流れ
ｓ３：下流側充填室Ｃから外部空間への内容物の流れ
ｓ４：上流側充填室Ａ’から中間充填室Ｂ’および下流側充填室Ｃへの内容物の流れ
ｓ５：容器本体側から上流側充填室Ａ’への内容物の流れ
ｓ６：下流側充填室Ｃ’から外部空間への内容物の流れ
【図１】
2008230699.tif 000003
【図２】
2008230699.tif 000004
【図３】
2008230699.tif 000005
【図４】
2008230699.tif 000006
【図５】
2008230699.tif 000007
【図６】
2008230699.tif 000008
【図７】
2008230699.tif 000009
【図８】
2008230699.tif 000010